(57)【特許請求の範囲】
【請求項１】
取付具本体の一端部に毛固定部を有すると共に、他端部に柄挿入部を有し、その柄挿入部に柄の先端部を挿入した状態で、柄挿入部に釘を打ち付け、かつその柄挿入部から突出した釘の先端部を折り曲げることにより、柄挿入部に柄の先端部を固定するようにした、ほうき用取付具において、
前記柄挿入部の外面側に、この柄挿入部から突出して折り曲げられる前記釘の先端部を両側から挟むように位置して外方へ突出する突条部を設け、互いに向かい合う前記両突条部間の間隔は、前記釘の太さ程度としたことを特徴とするほうき用取付具。
【発明の詳細な説明】
【０００１】
【発明の属する技術分野】
本発明は、ほうきにおいて、毛と柄との間を連結するためのほうき用取付具に関する。
【０００２】
【発明が解決しようとする課題】
例えば庭などを掃くのに用いられる、ほうきにおいては、毛（草）の部分と柄の部分との間を連結するために、鉄板製、或いは合成樹脂製のほうき用取付具が用いられている。
【０００３】
このほうき用取付具の取付具本体は、下部にスカート状の毛固定部を有すると共に、上部に筒状の柄挿入部を一体に有している。そして、毛固定部に毛の上部を挿入してステープルなどにより固定し、また、柄挿入部に柄の先端部を挿入した状態で、柄挿入部に釘を打ち付け、かつその柄挿入部から突出した釘の先端部を折り曲げることにより、柄挿入部に柄の先端部を固定するようにしている。
【０００４】
しかしながら、上記した従来構成においては、柄挿入部に打ち付けられた釘の先端部を折り曲げてはいるものの、その釘の先端部が柄挿入部の外面よりも外方へ突出しているため、当該釘の先端部が何かに引っ掛かったり、或いはその釘の先端部で怪我をしたりするおそれがあった。
【０００５】
本発明は上記事情に鑑みてなされたものであり、その目的は、柄挿入部に柄を固定するための釘の先端部が何かに引っ掛かったり、その釘の先端部で怪我をしたりすることを極力防止することができるほうき用取付具を提供するにある。
【０００６】
【課題を解決するための手段】
本発明は、上記の目的を達成するために、取付具本体の一端部に毛固定部を有すると共に、他端部に柄挿入部を有し、その柄挿入部に柄の先端部を挿入した状態で、柄挿入部に釘を打ち付け、かつその柄挿入部から突出した釘の先端部を折り曲げることにより、柄挿入部に柄の先端部を固定するようにしたほうき用取付具において、前記柄挿入部の外面側に、この柄挿入部から突出して折り曲げられる前記釘の先端部を両側から挟むように位置して外方へ突出する突条部を設け、互いに向かい合う前記両突条部間の間隔は、前記釘の太さ程度としたことを特徴とするものである。
【０００７】
上記した手段によれば、柄挿入部に柄を固定するために、柄挿入部に釘を打ち付け、かつ柄挿入部から突出した釘の先端部を折り曲げた状態では、その釘の先端部が突条部間に収容された状態になるので、釘の先端部が何かに引っ掛かったり、或いは釘の先端部で怪我をしたりすることを極力防止できるようになる。
【０００８】
【発明の実施の形態】
以下、本発明の第１実施例について、図１ないし図５を参照して説明する。まず、図１ないし図３には、ほうき１の全体が示されており、このうち図１は背面図、図２は正面図、図３は側面図である。これら図１ないし図３において、ほうき１は、シダなどの繊維を束ねた毛２と、竹からなる柄３と、これら毛２と柄３との間を連結するための、本発明の対象である取付具４と、針金５とから構成されている。
【０００９】
上記取付具４の取付具本体６は、金属板、この場合２枚の鉄板製の前面板７及び背面板８を、左右両側部のかしめ部９（図３に一方のみ示す）にてかしめることにより一体化して、偏平な中空状をなした構成となっている。この取付具本体６には、一端部である下部に下端部が開放したスカート状の毛固定部１０が形成されていると共に、他端部である上部に上端部が開放した筒状の柄挿入部１１が形成されている。
【００１０】
柄挿入部１１の前面側及び背面側のそれぞれの上部には、図４及び図５にも示すように、上下方向に延び、かつ外方へ突出する２本の平行な突条部１２，１２が一体に形成されている。この場合、図５に示すように、これら２本の突条部１２，１２間の間隔寸法Ａ１は、柄挿入部１１に上記柄３を固定するために打ち付けられる釘１３の太さ寸法Ｂ１よりも若干大となるように設定され、また、各突条部１２の柄挿入部１１からの突出寸法Ａ２も、釘１３の太さ寸法Ｂ１よりも若干大となるように設定されている。
【００１１】
上記毛固定部１０には毛２の上部を挿入していて、当該毛固定部１０に複数本、この場合３本のコ字状のステープル１４を打ち付けることにより、毛固定部１０に毛２の上部を抜止め状態に保持させている。
【００１２】
そして、上記柄挿入部１１には柄３の先端部を挿入していて、当該柄挿入部１１に、この場合コ字状をなす１本の釘１３を前面板７側から打ち付け、かつ背面板８側へ突出した２本の先端部１１ａ，１１ａを、それぞれ上記突条部１２に沿って互いに向かい合う方向に折り曲げることにより、柄挿入部１１に柄３の先端部を固定している。このとき、釘１３の折り曲げられた２本の先端部１３ａは、それぞれ背面板８側の２本の突条部１２，１２により挟まれた状態となり、また、釘１３の頭部１３ｂも、前面板７側の２本の突条部１２，１２により挟まれた状態となっている。
【００１３】
一方、上記針金５は、柄３の下部と毛２の上部との間にわたって設けられており、柄３の部分と毛２の部分との間を一層強固に連結している。
【００１４】
上記した第１実施例によれば、取付具４における柄挿入部１１の背面側に２本の突条部１２，１２を設けていて、柄挿入部１１に柄３を固定するための釘１３の先端部１３ａ，１３ａを折り曲げた状態では、それら各先端部１３ａが上記２本の突条部１２，１２間に収容された状態になるので、釘１３の先端部１３ａが何かに引っ掛かったり、或いは釘１３の先端部１３ａで怪我をしたりすることを極力防止できるようになる。
【００１５】
しかもこの場合、柄挿入部１１の前面側にも２本の突条部１２，１２を設けていて、釘１３の頭部１３ｂもそれら２本の突条部１２，１２間に収容された状態になるので、釘１３の頭部１３ｂが何かに引っ掛かったりすることも極力防止できるようになる。
【００１６】
図６は本発明の第２実施例を示したものであり、この第２実施例は上記した第１実施例とは次の点が異なっている。
すなわち、柄挿入部１１に柄３を固定するための釘１５は、第１実施例の釘１３のようにコ字状ではなく、円形の頭部１５ｂを有する一般的な棒状をなすものを２本使用しており、これら各釘１５の先端部１５ａを、第１実施例と同様に、突条部１２，１２間に折り曲げるようにしている。
【００１７】
このような釘１５を使用する場合、釘１５の先端部１５ａ側に突条部１２，１２がない場合には、その釘１５が軸回りに回りやすいという事情があるが、この実施例においては、突条部１２，１２により釘１５が回ることを防止できる利点もある。
【００１８】
図７は本発明の第３実施例を示したものであり、この第３実施例は上記した第１実施例とは次の点が異なっている。
すなわち、ほうき１６における取付具１７の取付具本体１８は、合成樹脂製としたもので、例えばブロー成形により中空状に一体成形している。この取付具本体１８にも、一端部である下部に下端部が開放したスカート状の毛固定部１９が形成されていると共に、他端部である上部に上端部が開放した筒状の柄挿入部２０が形成されている。また、柄挿入部２０の前面側及び背面側には、第１実施例と同様に、上下方向に延び、かつ外方へ突出する２本の平行な突条部２１，２１が一体に形成されている（図７には、前面側の突条部２１が１本のみ示されている）。
【００１９】
そして、第１実施例と同様に、毛固定部１９には毛２がステープル１４により固定され、柄挿入部２０には柄３の先端部が釘１３により固定されている。この場合も、釘１３の各先端部１３ａは突条部２１，２１間に折り曲げられ、また、図７には示されていないが、釘１３の頭部も、前面側の突条部２１，２１間に収容された状態となっている。
このような第３実施例においても、第１実施例と同様な作用効果を得ることができる。
【００２０】
本発明は、上記した各実施例にのみ限定されるものではなく、例えば突条部１２，２１は、２本に分かれずに、枠状をなすように形成しても良いなど、要旨を逸脱しない範囲内で適宜変形して実施することができる。
【００２１】
【発明の効果】
本発明によれば、柄挿入部に打ち付けられる釘の先端部が突条部間に収容される状態となるので、その釘の先端部が何かに引っ掛かったり、その釘の先端部で怪我をしたりすることを極力防止することができるようになる。
【図面の簡単な説明】
【図１】本発明の第１実施例を示すほうき全体の背面図
【図２】正面図
【図３】側面図
【図４】図１中Ａ−Ａ線に沿う要部の拡大縦断側面図
【図５】図１中Ｂ−Ｂ線に沿う要部の拡大横断平面図
【図６】本発明の第２実施例を示す図４相当図
【図７】本発明の第３実施例を示す背面側からの斜視図
【符号の説明】
１はほうき、２は毛、３は柄、４は取付具（ほうき用取付具）、６は取付具本体、１０は毛固定部、１１は柄挿入部、１２は突条部、１３は釘、１３ａは先端部、１３ｂは頭部、１５は釘、１５ａは先端部、１５ｂは頭部、１６はほうき、１７は取付具（ほうき用取付具）、１８は取付具本体、１９は毛固定部、２０は柄挿入部、２１は突条部である。
【図１】
0003847857.tif 000002
【図２】
0003847857.tif 000003
【図３】
0003847857.tif 000004
【図４】
0003847857.tif 000005
【図５】
0003847857.tif 000006
【図６】
0003847857.tif 000007
【図７】
0003847857.tif 000008